【事件の表示】
　平成　５年特許願第３２２６６７号「液晶パネル」拒絶査定に対する審判事件［平成　７年　７月１４日出願公開、特開平　７−１７５０５０］について、次のとおり審決する。
【結　論】
　本件審判の請求は、成り立たない。
【理　由】
１．手続きの経緯・本願発明の要旨
　本願は、平成５年１２月２１日の出願であって、その発明は、平成１３年５月２５日付けの手続補正書により補正された明細書及び図面の記載からみて、その特許請求の範囲に記載されたとおりのものであるところ、その請求項１に係る発明は、次の通りのものである。　
「赤、緑、青の画素部にそれぞれ対応して赤、緑、青の色版が形成されているカラーフィルタ基板と、前記カラーフィルタ基板に対向して設けられ、薄膜トランジスタが形成されている対向基板と、前記カラーフィルタ基板と前記対向基板との間隙に充填された液晶層とを有する液晶パネルにおいて、前記対向基板の前記薄膜トランジスタに接続する画素電極上に段差が形成され、前記段差によって前記液晶層の厚さが前記色版に対応して異なることを特徴とする液晶パネル。」（以下、「本願発明」という。）
　
２．引用刊行物
　これに対し、原査定の拒絶の理由に引用された、本願の出願前に頒布された特開平３−２４５１２２号公報（以下、「刊行物１」という。）には、
「液晶セル内の、液晶の占める部分のギャップ厚さを一つの表示画素につき二種類以上変え、それぞれの表示画素内におけるギャップ厚の異なる部分の面積の比を、表示画素の色調ごとに変化させることを特徴とする液晶表示装置。」（特許請求の範囲）、
「前述の例は、色の違いによる液晶セルの光の透過率の差を小さくし、黒色表示時の色つきをなくすのに有効である。本発明者らは、色の違いによる光の透過率の差を小さくするための方法として、前述の方法よりさらに簡単な方法を提供する。
　本発明の目的は、液晶セルのカラー表示において黒色表示時の色つきを最小にすることである。」（１頁右下欄６行〜１２行）、及び、
「第１図に、ツイステッド・ネマティック型液晶カラー表示装置の液晶表示素子を示す。偏光板１，ガラス基板２，透明電極４、保護膜７，配向膜５，カラーフィルタ（赤）３１，（緑）３２，（青）３３を第１図の様に配置し、その間の空間に、ネマティック型液晶を注入する。保護膜は、段差が形成されており、一つの表示画素を、ｄ１とｄ２の二つのギャップ厚の部分に分けている。ギャップ厚の厚い部分の面積の、一つの画素に対する割合をαとすると、カラーフィルタ（赤）の画素では、αＲ、緑はαＧ、青はαＢと色ごとにαを変化させており、αＲ＞αＧ＞αＢという関係になっている。偏光板の偏光方向は同一方向に配置しており、配向膜５は上と下で、配向の方向が、９０°、あるいは、それ以上の角度を成すように設定している。」（２頁左下欄２行〜１６行）と記載され、
第１図には、各色のカラーフィルターに対向する保護膜７に形成された、セルギャップ厚の厚い部分の面積を変えた液晶カラー表示装置が、示されている。
　また、同じく実願昭６２−１９５９０８号（実開平１−１０１２２２号）のマイクロフィルム（以下、「刊行物２」という。）には、
「この考案は、各色のカラーフィルタの厚さを変えるだけで各色の画素表示部のセルギャップを調整するのではなく、カラーフィルタを形成しない側の基板面の電極の高さに差をもたせることによって、この電極の高さによっても画素表示部のセルギャップを調整するようにしたものであり、各色のカラーフィルタのうちの光透過率の小さい波長光のフィルタと対応する電極を液晶層側に突出させれば、この電極の突出高さ分だけ光透過率の小さい波長光のフィルタの厚さを小さくすることができるから、光透過率の大きい波長光のフィルタと光透過率の小さい波長光のフィルタとの間の段差を小さくすることができる。」（９頁１２行〜１０頁４行）、及び、
「第１図はマトリックス型カラー液晶表示素子の走査電極長さ方向に沿う断面を示している。第１図において、１，２は液晶層ＬＣをはさんで対向する上下一対の透明基板、３は上基板１面に多数本平行に配列形成されたストライプ状の透明信号電極、４は下基板２面に前記信号電極と直交させて多数本平行に配列形成されたストライプ状の透明走査電極４であり、この走査電極４は、下基板２面に前記上基板１面の各信号電極３と対向させて配列形成した赤、緑、青のカラーフィルタＦＲ、ＦＧ、ＦＢの上に、透明保護膜５および透明絶縁体６を介して形成されている。
　そして、上記各色のカラーフィルタＦＲ、ＦＧ、ＦＢのうち、液晶素子における光透過率が最も大きい赤色画素表示部に設けられる赤色フィルタＦＲの厚さｔＲと、次に光透過率が大きい緑色画素表示部に設けられる緑色フィルタＦＧの厚さｔＧは、従来のカラー液晶表示素子と同様にｔＲ＜ｔＧとされており、したがって赤色画素表示部のセルギャップｄＲと緑色画素表示部のセルギャップｄＧとは、ｄＲ＞ｄＧとなっている。また、液晶素子における光透過率が最も小さい青色画素表示部に設けられる青色フィルタＦＢの厚さｔＢは、前記赤色フィルタＦＲと緑色フィルタＦＧのほぼ中間の厚さとされている。一方、カラーフィルタのない上基板１面に配列形成された各信号電極３のうち、前記各カラーフィルタＦＲ、ＦＧ、ＦＢのうちの青色フィルタＦＢと対応する電極つまり青色画素表示部の信号電極３は、他の信号電極つまり赤色画素表示部と緑色画素表示部の信号電極３よりも液晶層ＬＣ側に突出しており、青色画素表示部のセルギャップｄＢは、この信号電極３の突出高さｈと、青色フィルタＦＢの厚さｔＢとによって、赤、緑、青の画素表示部のセルギャップｄＲ、ｄＧ、ｄＢが、ｄＲ＞ｄＧ＞ｄＢ＞となるように調整されている。」（１０頁１４行〜１２頁９行）と記載され、
第１図には、各色の画素表示部のセルギャップを変化させたカラー液晶表示素子が、示されている。
　
３．対比・判断
　上記刊行物１記載の発明（以下、「引用発明１」という。）における「画素」、「カラーフィルタ」、「液晶カラー表示装置」が、本願発明における「画素部」、「色版」、「液晶パネル」に相当することは明らかである。
　また、本願発明における「カラーフィルタ基板」及び「対向基板」は、その各実施例において、ガラス基板から配向膜までの積層体を意味しているから、引用発明１におけるガラス基板２、カラーフィルタ３１、３２、３３、透明電極４及び配向膜５の積層体が、本願発明における「カラーフィルタ基板」に、引用発明におけるガラス基板２、透明電極４、保護膜７及び配向膜５の積層体が「対向基板」に、それぞれ相当する。
　よって、本願発明と引用発明１とを比較すると、両者は、赤、緑、青の画素部にそれぞれ対応して赤、緑、青の色版が形成されているカラーフィルタ基板と、前記カラーフィルタ基板に対向して設けられている対向基板と、前記カラーフィルタ基板と前記対向基板との間隙に充填された液晶層とを有する液晶パネルにおいて、前記対向基板の電極上に段差が形成されていることを特徴とする液晶パネル、である点で一致し、次の点で相違している。
　
（相違点１）
　本願発明は、対向基板に薄膜トランジスタを設け、薄膜トランジスタに接続された画素電極上に段差が設けられているのに対し、引用発明１は、透明電極上に段差が設けられているものの、薄膜トランジスタが設けられているかは不明であり、したがって、薄膜トランジスタに画素電極が接続されているかも不明である点
（相違点２）
　本願発明は、段差によって液晶層の厚さが色版に対応して異なっているのに対し、引用発明１は、段差が形成された箇所の液晶層の厚さはいずれの箇所も同じであるが、段差の面積が色版に対応して異なっている点
　
　以下、上記相違点について検討する。
（相違点１）
　液晶表示装置において、対向基板に薄膜トランジスタを設けて、画素電極を薄膜トランジスタに接続する点は、当業界における周知技術（必要ならば、「液晶ディスプレイ　その概要と応用市場（改訂版）」株式会社ラジオ技術者、平成５年３月１日、３版発行、pp67-71を参照のこと。）である。そして、引用発明１において、対向基板に設けられた透明電極に代えて、対向基板上の薄膜トランジスタに接続された画素電極を用いることは、当業者であれば普通に想起しうることである。
（相違点２）
　引用発明１は、色の違いによる光の透過率の差を小さくするために、保護膜の段差の面積比を表示画素の色調ごとに変化させるものである。また、刊行物２には、光透過率の異なるカラーフィルタの表示画素の輝度をバランスさせるために、各色の画素表示部のセルギャップを調整するもの（以下、「引用発明２」という。）が記載されている。
　よって、引用発明１も引用発明２も、フィルタの色の違いによる光の透過率の差を小さくするという点で共通するものであるから、引用発明１において、保護膜の段差の面積比を変える代わりに、引用発明２のように、各色の画素表示部のセルギャップ（本願発明の「液晶層の厚さ」に相当。）を異ならせるようにすることは、当業者が何ら困難なく想定し得たことである。
　
４．むすび
　以上のとおりであるから、本願発明は、引用発明１及び２並びに周知技術に基づいて当業者が容易に発明をすることができたものであり、特許法第２９条第２項の規定により特許を受けることができない。
　よって、結論のとおり審決する。